(57)【要約】  ローラーが装着されたマッサージ部がグリップ部に対して四方に自由に回転できるようにしたイオンマッサージ器を提供する。  本発明は手で握られるように形成されたグリップ部と皮膚に当てて撫でるためのローラーが装着されたマッサージ部とからなったイオンマッサージ器に関するものであり、具体的には、前記マッサージ部が前記グリップ部に対して３６０度回転できるように軸に連結され、前記軸の中心には電線が通過するように連結通路が形成されることによって、前記グリップ部に対してマッサージ部を四方に自由に回転させながらローラーでマッサージすることができるイオンマッサージ器を提供する。
2014531223.tif 000002
【特許請求の範囲】
【請求項１】
手で握られるように形成されたグリップ部（１００）と皮膚に当てて撫でるためのローラー（２１０） が装着されたマッサージ部（２００）とからなるイオンマッサージ器において、
前記マッサージ部（２００）は、前記グリップ部（１００）に対して３６０度回転できるように回転軸（３００）に連結され、前記回転軸（３００）の中心には電線が通過するように連結通路（３１０）が形成されたことを特徴とする、イオンマッサージ器。
【請求項２】
前記マッサージ部（２００）のローラー（２１０）の内部には振動体（２２０）が設置されたことを特徴とする、請求項１に記載のイオンマッサージ器。
【発明の詳細な説明】
【技術分野】
【０００１】
本発明は皮膚をマッサージするためのイオンマッサージ器に関するものである。
【背景技術】
【０００２】
一般に、イオンマッサージ器は両電極間の微細電流の流れを用いて皮膚内の異物を除去するためのもので、通常、手で握られるように形成されたグリップ部と皮膚に直接接触するマッサージ部とからなる。
【０００３】
前記マッサージ部には、皮膚に当てて撫でるとき、摩擦による刺激を減らすためにローラーが装着され、このローラーによってイオンマッサージされる。この際、前記ローラーは、電流が流れるように外面が金属材から形成され、その両端は、マッサージ部の両側に軸支されたままで前記グリップ部を介して、電気的に連結される。
【０００４】
しかし、従来のイオンマッサージ器は次のような問題点がある。
【０００５】
まず、従来のグリップ部とマッサージ部は構造的に一体からなり、前記ローラーは一方向にだけ回転するように設置されているため、使用が不便である。この場合、例えば使用者がグリップ部を握った状態でマッサージ部のローラーを用いて前後にマッサージするときには不便はないが、左右にマッサージするためには、グリップ部の方向を変えるか握り直さなければならない不便がある。しかも、従来のローラーは大きいため、皮膚のあちこちを細密にマッサージするのには困難である。
【０００６】
また、従来のローラーを皮膚に当てて撫でる過程で皮膚の感触だけではマッサージが正常に行われているかどうかを分からない。したがって、使用者はマッサージ器の機能が作用しない状態でも長時間使うことができてしまい、使用感が悪いという不満が生ずる。
【発明の概要】
【発明が解決しようとする課題】
【０００７】
本発明の目的は、ローラーが装着されたマッサージ部がグリップ部に対して四方に自由に回転できるようにしたイオンマッサージ器を提供することである。
【０００８】
また、他の目的は、マッサージ部のローラーが皮膚に接触するときに使用感が感じられるようにしたイオンマッサージ器を提供することにある。
【課題を解決するための手段】
【０００９】
本発明は、手で握られるように形成されたグリップ部及び皮膚に当てて撫でるためのローラーが装着されたマッサージ部とからなるイオンマッサージ器において、前記マッサージ部が前記グリップ部に対して３６０度回転できるように回転軸に連結され、前記回転軸の中心には電線が通過するように連結通路が形成されることによって達成される。
【発明の効果】
【００１０】
本発明のイオンマッサージ器によれば、グリップ部に対してマッサージ部を四方に自由に回転させながらローラーでマッサージすることができ、使用が一層便利になる効果がある。また、本発明のイオンマッサージ器によれば、ローラーが皮膚に接触するとき、振動を感られることによって、使用感が一層向上する効果がある。
【図面の簡単な説明】
【００１１】
【図１】本発明が適用されたイオンマッサージ器を示す斜視図である。
【図２】本発明が適用されたイオンマッサージ器を示す正面図である。
【図３】本発明が適用されたイオンマッサージ器の実施例を示す要部断面図である。
【図４】本発明が適用されたイオンマッサージ器の実施例を示す要部断面図である。
【図５】本発明が適用されたイオンマッサージ器を示す要部作動図である。
【発明を実施するための形態】
【００１２】
本発明の好ましい実施例を添付図に基づいて具体的に説明する。
【００１３】
本発明のイオンマッサージ器は、図１〜図５に示すように、グリップ部１００とマッサージ部２００との間が回転軸３００を介して連結され、前記マッサージ部２００のローラー２１０は前記グリップ部１００を介して電気的に連結される。
【００１４】
前記グリップ部１００は、図１及び図２に示すように、手で握られるように形成され、通常のイオンマッサージ器のように、その一側にはイオンマッサージ機能を制御するためのボタンやスイッチが形成され、内部にはイオンマッサージのための電源供給装置が設置される。前記電源供給装置は具体的に示されていないが、通常のバッテリー電源を用いるとか、外部の商用電源を用いて構成される。
【００１５】
前記マッサージ部２００は、図１〜図４に示したように、皮膚に当てて撫でるローラー２１０が装着される。前記ローラー２１０は、電流を流してイオン作用を与えるように外面が金属材から形成され、その両端はマッサージ部２００の両側に軸結合される。この際、前記ローラー２１０は皮膚に密着したままで回転しても電気的に継続して連結していなければいけないため、例えば図３及び図４に示すように、ブッシングまたはブラシが備えられる。
【００１６】
前記マッサージ部２００のローラー２１０の内部には、図３及び図４に示すように、振動体２２０が設置され、使用時に微細振動が発生する。前記振動体２２０は、電動モーター又はソレノイドを用いることができ、さらに携帯電話などに適用される圧電素子を用いることもできる。
【００１７】
この際、前記ローラー２１０の外面でのイオン作用を発生させるための電源又は振動体２２０を駆動させるための電源は、前記グリップ部１００から供給される。このための構成は後述する回転軸３００と連結孔３１０から具体的に分かる。
【００１８】
一方、前記マッサージ部２００のローラー２１０は、例えば顔面の隅々を便利にマッサージすることができるように小さく形成することが好ましい。
【００１９】
前記グリップ部１００とマッサージ部２００との間には回転軸３００を介して連結され、前記マッサージ部２００がグリップ部１００に対して自由に３６０度回転することができる。また、前記軸３００の中心には前記グリップ部１００から前記マッサージ部２００に電線が通過するように連結通路３１０が形成される。前記グリップ部１００とマッサージ部２００との間を連結する回転軸３００は、図２〜図４に示すように、前記ローラー２１０がマッサージ部２００に結合される軸方向に対して直角をなすことにより、図５に示すように、前記ローラー２１０が前記回転軸３００を中心として３６０度回転できる。
【００２０】
前記グリップ部１００とマッサージ部２００との間を連結する回転軸３００は、例えば図３に示したように、グリップ部１００とマッサージ部２００から突出して互いに連結可能な雌雄型の一対で形成できる。又、図４のようにグリップ部１００またはマッサージ部２００のいずれか一方から突出するようにし、他方には結合口を形成することもできる。この際、前記回転軸３００には係止突条を形成することによって、抜け出さないで回転できる。そして、前記回転軸３００が一層滑らかに回転するためにベアリングを設けることもできる。
【００２１】
このような本発明の構成によれば、前記回転軸３００によってグリップ部１００に対してマッサージ部２００を四方に自由に回転させながらローラー２１０でマッサージできるので、使用が一層便利となる。
【００２２】
また、前記振動体２２０を介して前記ローラー２１０が皮膚に接触するときに振動が感じられるので、使用感が一層向上する効果がある。
【符号の説明】
【００２３】
１００    グリップ部
２００    マッサージ部
２１０    ローラー
２２０    振動体
３００    回転軸
３１０    連結通路
【図１】
2014531223.tif 000003
【図２】
2014531223.tif 000004
【図３】
2014531223.tif 000005
【図４】
2014531223.tif 000006
【図５】
2014531223.tif 000007
【国際調査報告】
2014531223.tif 000008
2014531223.tif 000009
2014531223.tif 000010
2014531223.tif 000011